(57)【要約】【課題】簡単な構成でスペース効率が良く、フィルタの洗浄などの手間がかからず、フィルタ交換などによるゴミも発生せず、確実に水の汚染を抑制し殺菌浄化し、過電流が加わっても安全な浄化装置を提供する。【解決手段】各々絶縁被覆された２本の銅線１４を、被処理水を流す一本の管体１２の外側にそれぞれ多層に巻回してコイル部１６ａ，１６ｂを形成する。複数のコイル部１６ａ，１６ｂに接続された交流電源を入切可能に設けられた電源スイッチ装置２４と、２つのコイル部１６ａ，１６ｂに接続され過電流保護回路３０が設けられた出力制御器３２を備える。２つのコイル部１６ａ，１６ｂは管体１２と共に絶縁体２０により被覆されている。【選択図】図１
2007209892.tif 000002
【特許請求の範囲】
【請求項１】
各々絶縁被覆された２本の電線を、被処理水を流す一本の管体の外側にそれぞれ巻回してコイル部を形成し、前記コイル部に交流電流を流し、前記コイル部を流れる電流により誘起される電磁界を、前記管体内を流れる被処理水に印加する浄化装置において、交流電源側に接続される２本の電線を前記管体の外側の別々の位置に多層に巻回して形成された複数のコイル部と、前記複数のコイル部に接続された前記交流電源を入切可能に設けられた電源スイッチ装置と、前記２つのコイル部に接続され過電流保護回路が設けられた出力制御器とを備え、前記２つのコイル部は前記管体と共に絶縁体により被覆されていることを特徴とする浄化装置。
【請求項２】
前記絶縁体は、熱収縮性樹脂から形成されていることを特徴とする請求項１記載の浄化装置。
【請求項３】
前記過電流保護回路は、前記出力制御器に一体に設けられていることを特徴とする請求項１記載の浄化装置。
【請求項４】
前記過電流保護回路は、前記コイル部に一体に設けられていることを特徴とする請求項１記載の浄化装置。
【発明の詳細な説明】
【技術分野】
【０００１】
この発明は、鯉などの養殖池や家庭の鑑賞魚用の池などの汚れた水を処理して水質を維持する浄化装置に関する。
【背景技術】
【０００２】
従来、鯉の養殖池や家庭の観賞魚の池の水は、飼育する魚の食べ残しの餌や排泄物、水垢、藻などにより時間の経過とともに細菌に汚染され水質が悪化する。そのため、水質を改善することが必要になるが、頻繁に池の水の入れ替え及び清掃を行うのは非効率であり、薬品などによる水質処理は、取り扱いが難しく魚の生育にも影響を及ぼしかねない。さらに、環境に悪影響を及ぼす可能性もある。そのため、池の汚れた水を浄化装置により処理し、浄化した水を循環使用されるのが一般的である。また、池の水を浄化する浄化装置の処理方法には、いろいろな材質や構造を持つフィルタにより、水を濾過して浄化するのが一般的である。
【０００３】
一方、水を循環させる配管は、汚染された水を流すため、水の中の汚染物質により配管壁内に、汚染物質によるスケールや微生物による有機物等が付着する。このスケールの付着防止処理を行う方法として、配管外周に電線をコイル状に巻き付けて、専用の電源により周波数が変化する電流をコイルに流し、コイル周辺に対して、時間的に変化する電界と磁界を発生させる電磁界処理装置により水に電磁界処理を行う方法が知られている。また、水を電磁界処理することにより、水質を改善し、錆や配管の詰まり、アンモニア臭等を防止する処理方法なども知られている。
【０００４】
また、特許文献１では、配管に２本の電線を巻き付けてコイルを形成し、その電線の一方の各端部は、商用電源に接続されて、他方の各端部に接続された電気器具を作動させると、商用交流電流がコイルに流れ、配管を流れる水に磁界を印加して浄化する装置が開示されている。
【特許文献１】特開２００６−７０６０号公報
【発明の開示】
【発明が解決しようとする課題】
【０００５】
上記従来の技術において、池の水を浄化する方法として一般的であるフィルタを使用し水を濾過する方法は、水を濾過するフィルタを定期的に洗浄または交換する必要があり、コストがかかる。また、フィルタを用いる浄化装置は、幾重にも重ねたフィルタと水を循環させる配管及びポンプにより形成されるため、ポンプを駆動するモータの出力がある程度必要であり、エネルギー効率及びスペース効率がよくない。さらに、フィルタの洗浄作業や寿命の尽きたフィルタはゴミとして廃棄することになり、材質によっては、細かな分別作業などが必要であり洗浄作業と共に手間がかかるものである。
【０００６】
そのほか、水を循環させる配管内部にも水の汚染物質によるスケールや有機物が付着するため、配管内部の定期的なスケール等の除去作業が必要である。このスケールの付着については、特許文献１に開示される電磁界処理を行うことで防止することが可能であるが、コイルに過電流が印加されると発熱により発火または破損する可能性があった。また、配管に巻き付けた電線は一重に巻き付けられているため、電磁界強度が大きくなく、十分な効果を発揮することができない場合があった。
【０００７】
この発明は、上記従来技術の問題点に鑑みて成されたもので、簡単な構成でスペース効率が良く、フィルタの洗浄などの手間がかからず、フィルタ交換などによるゴミも発生せず、確実に水の汚染を抑制し殺菌浄化し、過電流が加わっても安全な浄化装置を提供することを目的とする。
【課題を解決するための手段】
【０００８】
この発明は、各々絶縁被覆された２本の電線を、被処理水を流す一本の管体の外側にそれぞれ巻回してコイル部を形成し、前記コイル部に交流電流を流し、前記コイル部を流れる電流により誘起される電磁界を、前記管体内を流れる被処理水に印加する浄化装置において、交流電源側に接続される２本の電線を前記管体の外側の別々の位置に多層に巻回して形成された複数のコイル部と、前記複数のコイル部に接続された前記交流電源を入切可能に設けられた電源スイッチ装置と、前記２つのコイル部に接続され過電流保護回路が設けられた出力制御器とを備え、前記２つのコイル部は前記管体と共に絶縁体により被覆されている浄化装置である。
【０００９】
前記絶縁体は、熱収縮性樹脂から形成されているものである。また、前記過電流保護回路は、前記出力制御器に一体に設けられ、または、前記過電流は、前記コイル部に一体に設けられているものでも良い。
【発明の効果】
【００１０】
この発明の浄化装置によれば、設置スペースを取らず配管効率が良く、被処理水の殺菌や消毒、有機物の付着防止や分解等の機能を発揮し、フィルタの洗浄などの手間がかからないものである。さらに、フィルタ交換などによるゴミも発生せず、消費電力も極めて少なく、効率的に水の汚染を防止することができる上、確実に過電流防止動作が行われ、安全性の高いものである。
【発明を実施するための最良の形態】
【００１１】
以下、この発明の浄化装置の一実施形態について、図１を基にして説明する。この実施形態の浄化装置１０は、鯉の養殖池などの水質悪化を抑制する浄化装置として使用されるものである。浄化装置１０は、図１に示すように、水道の配管などに使用される適宜な長さの直管状磁性体金属製の管体１２に、２本の銅線１４が巻回されている。２本の銅線１４は、エナメル等の絶縁体で被覆され、管体１２の外側に同じ巻回し方向で各々管体を２分するように、ほぼ同数の多層に巻回され、２つのコイル部１６ａ，１６ｂを形成している。２つのコイル部１６ａ，１６ｂは、管体１２のほぼ中央部に適宜な間隔を空けて形成されている。コイル部１６ａ，１６ｂの各一端部は、後述する出力制御器３４で互いに繋がっている。従って、後述するコイル部１６ａ，１６ｂにより生成される磁界は、互いに逆向きの磁界である。
【００１２】
各コイル部１６ａ，１６ｂ及び管体１２全体は、熱可塑性樹脂等から成る絶縁体２０により水密状態に被覆されている。そして、絶縁体２０に被覆された管体１２、及びコイル部１６ａ，１６ｂは、塩化ビニール製などの熱収縮性樹脂の絶縁体である外筒２２に収納され、両端部１８ａ，１８ｂに連結された図示しない管継ぎ部が、開口した状態に設けられている。
【００１３】
２つのコイル部１６ａ，１６ｂの、例えばコイル部１６ａから延びたコイル巻始めとなる銅線１４の端部、及びコイル部１６ｂから延びたコイル終端となる銅線１４の端部は、各々管体１２の端部から露出されている。そして、銅線１４の各端部には、起動スイッチが設けられた電源スイッチ装置２４が接続されている。この電源スイッチ装置２４には、商用電源のコンセントへ接続可能なプラグが端部に取り付けられた電源コードが設けられている。また、この浄化装置１０と連動する電動器具などへ接続される接続線２６も設けられている。
【００１４】
一方、コイル部１６ａから延びたコイル終端となる銅線１４の端部、及びコイル部１６ｂから延びたコイル巻始めとなる銅線１４の端部も、各々管体１２の開口部から露出されている。そして、銅線１４の各端部は、ヒューズやブレーカなどの過電流保護素子２８を備えた過電流保護回路３０及び出力制御回路３２から成る出力制御器３４を介して接続されている。なお、出力制御器３４は、コネクタにより接続するものでも良い。
【００１５】
次に、この実施形態の浄化装置１０の動作作用について説明する。図１に示すように、管体１２に一対の銅線１４を多層に巻回して、２つのコイル部１６ａ，１６ｂを形成し、銅線１４の一方の端部は、電源スイッチ装置２４に接続する。また、電源スイッチ装置２４から延びる接続線２６には、連動可能にポンプなどの電機器具が接続され、銅線１４の他方の端部には、出力制御器３４が接続される。
【００１６】
まず、電源スイッチ装置２４のスイッチを入れると、商用交流電流が銅線１４によるコイル部１６ａ，１６ｂを流れ、同時に、器具接続線２６に接続されたポンプのモータも動作する。２つのコイル部１６ａ，１６ｂに交流電流が流れると、２つのコイル部１６ａ，１６ｂのそれぞれの内側にある管体１２内部に、磁場３６と電場３８が発生する。そして、管体１２内部を流れる流体は、発生した磁場３６と電場３８により電磁界処理されることになる。この時、図１の管体１２の開口部１８ａから流れ込む流体は、電磁界処理されて管体１２の開口部１８ｂから流れ出てくることになる。
【００１７】
次に、この浄化装置１０の使用方法について説明する。まず、図１に示す浄化装置１０を、例えば鯉の養殖池の水を循環させ浄化させる配管途中に接合し設置する。そして、電源スイッチ装置２４から延びる電源プラグを図示しないコンセントなどの商用電源に接続する。次に、電源スイッチ装置２４から延びる器具接続線２６は、水を循環させる図示しないポンプのモータ端子へ接続して、電源スイッチ装置２４のスイッチを入れる。すると、商用電源から流れる交流電流によりポンプ駆動用のモータが作動し、管体内を池の水が循環するとともに、コイルに電流が流れて、２つコイル部１６ａ，１６ｂのそれぞれの内側にある管体１２内部には、磁場３６と電場３８を発生させる。
【００１８】
この実施形態の浄化装置１０によれば、浄化装置１０の２つのコイル部１６ａ，１６ｂは、銅線１４を多層に巻回して形成されるため、より強い磁場を発生し高い浄化力が発揮されるものである。また、ポンプなどの電機器具への電源供給も、電源スイッチ装置２４から同時に供給可される。また、出力制御器３４に一体に形成された過電流保護回路３０により、過電流が防止され安全である。そして、専用電源のスペースが必要ないためスペース効率がよく、さらに、設置した後は洗浄や定期点検などのメンテナンスも不要であり、手間のかからないものである。その他、出力制御器３４に一体に設けられた過電流保護回路３０は、一体化せずに別途設けても良い。
【００１９】
また、図２に示すように、出力制御回路３２を電源スイッチ装置２４に内蔵させ、コイル部１６ｂを形成する銅線１４の他方の端部に、過電流防止のヒューズやブレーカなどの過電流保護素子２８をコイル部１６ｂと一体に取り付けても良い。この場合、構成はよりシンプルになり、スペース効率がよく、コストも低減できるものである。また、過電流保護素子２８を電源スイッチ装置２４に内蔵させて、コイル部１６ｂの端部を直結しても良い。
【００２０】
なお、この発明の浄化装置に用いられる管体には、金属管以外に、塩化ビニール管を用いてもよく、その場合、管体１２の外側に磁性体金属製の筒を被せることにより、過熱を抑え、磁気効果を高めることができる。さらに、管体の太さや長さも適宜選択可能である。また、管体に巻回してコイル部を形成する銅線の太さは適宜選択可能である。また、コイル部の巻数も上記実施形態に限定されるものではなく、適宜設定可能である。
【００２１】
そのほか、管体外側に多重に銅線が巻回されてコイル部が形成されていればよいため、２つのコイル部の隙間部分で管体が湾曲していても良く、管体全体が湾曲していても良い。また、この発明により処理する水は、真水以外に海水やその他の水や液体も含むものである。
【図面の簡単な説明】
【００２２】
【図１】この発明の一実施形態の浄化装置を示す概略構成図である。
【図２】この実施形態の浄化装置の変形例を示す概略構成図である。
【符号の説明】
【００２３】
１０  浄化装置
１２  管体
１４  銅線
１６ａ，１６ｂ  コイル部
２０  絶縁体
２４  電源スイッチ装置
２８  過電流保護素子
３０  過電流保護回路
３２  出力制御回路
３４  出力制御器
【図１】
2007209892.tif 000003
【図２】
2007209892.tif 000004